(57)【特許請求の範囲】
【請求項１】
広帯域光源により入力される広帯域光から所定の波長の光信号を選択して、選択した前記光信号に対して所定の第１の減衰量で減衰した光信号を出力光として出力する出力光用波長選択部と、
前記広帯域光源により入力される前記広帯域光から前記所定の波長に対して所定の波長帯域内の光信号を選択して、選択した前記光信号に対して所定の第２の減衰量で減衰した光信号を近接光として出力する近接光用波長選択部と、
前記近接光用波長選択部により出力される前記近接光の光レベルを計測し、前記近接光の光レベルの計測値をモニタ情報として生成するモニタ回路と、
前記モニタ回路により生成された前記モニタ情報と、前記出力光の期待出力レベル値として予め設定された情報である出力設定情報とを比較し、比較結果に基づいて前記出力光の光レベルを調整する制御回路とを備えた光伝送装置。
【請求項２】
広帯域光源により入力される広帯域光から複数の所定の波長の光信号をそれぞれ選択して、選択した前記複数の光信号の各々に対して所定の第１の減衰量で減衰した光信号を複数の出力光として出力する複数の出力光用波長選択部と、
前記広帯域光源により入力される前記広帯域光から前記複数の所定の波長のうちいずれか１つの波長に対して所定の波長帯域内の光信号を選択して、選択した前記光信号に対して所定の第２の減衰量で減衰した光信号を近接光として出力する近接光用波長選択部と、
前記近接光用波長選択部により出力される前記近接光の光レベルを計測し、前記近接光の光レベルの計測値をモニタ情報として生成するモニタ回路と、
前記モニタ回路により生成された前記モニタ情報と、前記出力光の期待出力レベル値として予め設定された情報である出力設定情報とを比較し、比較結果に基づいて、比較結果に基づいて前記出力光の光レベルを調整する制御回路とを備え、
前記制御回路は、前記複数の所定の波長と、前記複数の所定の波長の各々に対して設定された前記所定の波長帯域の波長を互いに対応付けた出力光管理情報を保有し、前記出力光管理情報を参照することにより、前記近接光用波長選択部に対して、前記広帯域光源により入力される前記広帯域光から、前記複数の所定の波長の各々に対して設定された前記所定の波長帯域の波長のうちいずれか１つの波長を選択させる光伝送装置。
【請求項３】
前記制御回路は、前記モニタ情報と前記出力設定情報とが一致しない場合、前記近接光用波長選択部に対して前記第２の減衰量を変更させて、前記近接光の光レベルを変更し、
前記モニタ情報と前記出力設定情報とが一致する場合、前記第２の減衰量を前記第１の減衰量に設定する請求項１または２に記載の光伝送装置。
【発明の詳細な説明】
【技術分野】
【０００１】
本発明は、例えば広帯域光源より任意に選択した波長帯域の光を取り出す光伝送装置に関する。
【背景技術】
【０００２】
特許文献１には、広帯域光源より任意に選択した波長帯域の光を取り出す光伝送装置が、開示されている。この光伝送装置では、広帯域光源１６から１×１ＷＳＳ（Wavelength Selectable Switch：波長選択スイッチ）２１に広帯域光が入力される。１×１ＷＳＳ２１は、広帯域光から波長帯域の光を任意に選択し、この選択した光をＣＰＬ（Coupler：光結合・分岐）２２へ出力している。
【０００３】
なお、特許文献２にも、参考技術として、光伝送装置の一例が開示されている。
【先行技術文献】
【特許文献】
【０００４】
【特許文献１】特開２０１２−１００１０３号公報
【特許文献２】特開平９−３１２６３１号公報
【発明の概要】
【発明が解決しようとする課題】
【０００５】
しかしながら、特許文献１に記載の光伝送装置では、光出力レベルを制御するために、１×１ＷＳＳ２１とＣＰＬ２２の間にモニタ回路を設けて、出力光を直接、モニタする必要があった。このように、１×１ＷＳＳ２１とＣＰＬ２２の間にモニタ回路を設けたために、出力光には光損失が生じることになり、最大光出力レベルが低下してしまうという問題があった。また、最大出力レベルを確保するために、広帯域光源１６の出力レベルを上げることも可能であったが、広帯域光源１６を大型化させ、かつ消費電流を増大させることが必要となり、光伝送装置内に広帯域光源を組み込むことが困難になるという問題があった。
【０００６】
本発明は、このような事情を鑑みてなされたものであり、モニタ回路を設けても、出力光に生じる光損失を低減することができる技術を提供する。
【課題を解決するための手段】
【０００７】
本発明の光伝送装置は、広帯域光源により入力される広帯域光から所定の波長の光信号を選択して、選択した前記光信号に対して所定の第１の減衰量で減衰した光信号を出力光として出力する出力光用波長選択部と、前記広帯域光源により入力される前記広帯域光から前記所定の波長に対して所定の波長帯域内の光信号を選択して、選択した前記光信号に対して所定の第２の減衰量で減衰した光信号を近接光として出力する近接光用波長選択部と、前記近接光用波長選択部により出力される前記近接光の光レベルを計測し、前記近接光の光レベルの計測値をモニタ情報として生成するモニタ回路と、前記モニタ回路により生成された前記モニタ情報と、前記出力光の期待出力レベル値として予め設定された情報である出力設定情報とを比較し、比較結果に基づいて前記出力光の光レベルを調整する制御回路とを備えている。
【発明の効果】
【０００８】
本発明にかかる技術によれば、モニタ回路を設けても、出力光に生じる光損失を低減することができる。
【図面の簡単な説明】
【０００９】
【図１】本発明の第１の実施の形態における光伝送装置の構成を示す図である。
【図２】本発明の第１の実施の形態における光伝送装置の動作を説明する動作フロー図である。
【図３】本発明の第２の実施の形態における光伝送装置の構成を示す図である。
【図４】本発明の第２の実施の形態における光伝送装置の動作を説明する動作フロー図である。
【発明を実施するための形態】
【００１０】
＜第１の実施の形態＞
図１は、本発明の第１の実施の形態における光伝送装置１０００の構成を示す図である。
【００１１】
図１に示されるように、光伝送装置１０００は、広帯域光源１０と、波長選択スイッチ（１×２ＷＳＳ（Wavelength Selectable Switch））３０と、出力ポート５０−１、５０−２と、モニタ回路７０と、制御回路９０とを備えている。
【００１２】
図１に示されるように、広帯域光源１０は、１×２ＷＳＳ３０に接続されている。広帯域光源１０は、広帯域光λを１×２ＷＳＳ３０へ出力する。ここでは、広帯域光λは、図１に示されるように、λ１、λ１’、λ２、λ２’、・・・・・とする。λ１’はλ１の近接光である。λ２’はλ２の近接光である。近接光は、対象の光（信号）の波長に対して所定の波長帯域内の光をいう。広帯域光λは、近接する同帯域において、同等の出力レベル特性を有する。広帯域光源１０は、例えば、自然放出光（ＡＳＥ：Amplified Spontaneous Emission）光源などにより構成される。
【００１３】
図１に示されるように、１×２ＷＳＳ３０は、広帯域光源１０と、出力ポート５０−１、５０―２と、制御回路９０とに接続されている。
【００１４】
１×２ＷＳＳ３０は、出力光用ＷＳＳ３１と、近接光用ＷＳＳ３３とを備えている。
【００１５】
出力光用ＷＳＳ３１は、広帯域光源１０により入力される広帯域光λから所定の波長の光信号λ１を選択する。そして、出力光用ＷＳＳ３１は、選択した光信号λ１に対して所定の第１の減衰量で減衰した光信号を出力光λ１として出力する。なお、出力光用ＷＳＳ３１は、本発明の出力光用波長選択部に対応する。
【００１６】
図１に示されるように、出力光用ＷＳＳ３１は、減衰量設定３２−１と、出力光選択設定３２−２とを備えている。減衰量設定３２−１および出力光選択設定３２−２は、１×２ＷＳＳ３０の出力ポート毎に設定される。出力光用ＷＳＳ３１は、減衰量設定３２−１および出力光選択設定３２−２の設定情報に従って、広帯域光源１０により入力される広帯域光λから所定の波長λ１の光信号λ１を選択する。減衰量設定３２−１は、広帯域光λから選択された光信号λ１に対して減衰させる第１の減衰量を設定する。出力光選択設定３２−２は、広帯域光λから選択する光信号を設定する。なお、ここでは、出力光選択設定３２−２は、広帯域光λから光信号λ１の光波長帯域を選択するように設定する。光信号λ１は、出力ポート５０−１から出力される。光信号λ１は、広帯域光λから、１×２ＷＳＳ３０により、波長選択出力された光である。
【００１７】
近接光用ＷＳＳ３３は、広帯域光源１０により入力される広帯域光λから、所定の波長λ１に対して所定の波長帯域（例えば、○○○Ｈｚ内）内の光信号λ１’を選択する。そして、近接光用ＷＳＳ３３は、選択した光信号λ１’に対して所定の第２の減衰量で減衰した光信号を近接光として出力する。なお、近接光用ＷＳＳ３３は、近接光用波長選択部に対応する。
【００１８】
図１に示されるように、近接光用ＷＳＳ３３は、減衰量設定３４−１と、出力光選択設定３４−２とを備えている。減衰量設定３４−１および出力光選択設定３４−２は、１×２ＷＳＳ３０の出力ポート毎に設定される。近接光用ＷＳＳ３３は、減衰量設定３４−１および出力光選択設定３４−２の設定情報に従って、広帯域光源１０により入力される広帯域光λから光信号λ１’を選択する。減衰量設定３４−１は、広帯域光λから選択された光信号λ１’に対して減衰させる第２の減衰量を設定する。出力光選択設定３４−２は、広帯域光λから選択する光信号を設定する。なお、ここでは、出力光選択設定３４−２は、広帯域光λから光信号λ１’の光波長帯域を選択するように設定する。光信号λ１’は、出力ポート５０−２から出力される。光信号λ１’は、広帯域光λから、１×２ＷＳＳ３０により、波長選択出力された出力光λ１に近接した同帯域幅の光である。
【００１９】
図１に示されるように、出力ポート５０−１は、１×２ＷＳＳ３０に接続されている。出力ポート５０−１は、出力光用ＷＳＳ３１により出力される出力光λ１を受けとり、これを光伝送装置１０００の外部へ出力する。
【００２０】
図１に示されるように、出力ポート５０−２は、１×２ＷＳＳ３０およびモニタ回路７０に接続されている。出力ポート５０−２は、近接光用ＷＳＳ３４により出力される近接光λ１’を受けとり、これをモニタ回路７０へ出力する。
【００２１】
図１に示されるように、モニタ回路７０は、１×２ＷＳＳ３０および制御回路９０に接続されている。モニタ回路７０は、近接光用ＷＳＳ３３により出力される近接光λ１’の光レベル（出力レベル）を計測し、近接光λ１’の光レベルの計測値をモニタ情報７１として生成する。モニタ回路７０は、モニタ情報７１を保存し、当該モニタ情報７１を制御回路９０へ送信する。モニタ情報７１は、近接光用ＷＳＳ３３から出力ポート５０−２を介して入力された近接光λ１’をモニタ回路７０により計測した光レベルのモニタ値である。
【００２２】
図１に示されるように、制御回路９０は、１×２ＷＳＳ３０およびモニタ回路７０に接続されている。制御回路９０は、モニタ回路７０により生成されたモニタ情報７１を、モニタ回路７０から受信する。
【００２３】
制御回路９０は、出力設定情報９１を有する。出力設定情報９１とは、出力光λ１の期待出力レベル値として予め設定された情報である。出力設定情報９１は、制御回路９０に予め記憶されている。また、制御回路９０は、モニタ情報７１と出力設定情報９１との比較結果に基づいて、出力光λ１の光レベルを調整する。具体的な機能については、後述の動作説明内で詳しく説明する。
【００２４】
以上、光伝送装置１０００の構成について説明した。
【００２５】
次に、光伝送装置１０００の動作について説明する。
【００２６】
図２は、光伝送装置１０００の動作を説明する動作フロー図である。
【００２７】
光伝送装置１０００は、出力レベルの制御を開始すると、まず、制御回路９０が出力光λ１の期待出力レベルを設定する（Ｓ１０１）。
【００２８】
制御回路９０は、出力光λ１の期待出力レベルを、出力設定情報９１として保存する（Ｓ１０２）。
【００２９】
次に、モニタ回路７０は、近接光λ１’の光レベル（出力レベル）を計測し、この計測値をモニタ情報７１として保存する（Ｓ１０３）。
【００３０】
次に、制御回路９０は、モニタ回路７０により生成されたモニタ情報７１と、出力設定情報９１とを比較する（Ｓ１０４）。
【００３１】
モニタ情報７１と出力設定情報９１とが一致しないと制御回路９０により判断された場合（Ｓ１０４、不一致）、制御回路９０は、１×ＷＳＳ３０の近接光用ＷＳＳ３３の減衰量設定部３４−１に設定された第２の減衰量を変更し、近接光λ１’の光レベル（出力レベル）を変更する（Ｓ１０５）。Ｓ１０３、Ｓ１０４およびＳ１０５の処理は、モニタ情報７１と出力設定情報９１が一致するまで繰り返される。
【００３２】
一方、モニタ情報７１と出力設定情報９１とが一致すると制御回路９０により判断された場合（Ｓ１０４、一致）、制御回路９０は、１×２ＷＳＳ３０の出力光用ＷＳＳ３１の減衰量設定３２−１に、減衰量設定３４−１で設定されている第２の減衰量を設定する（Ｓ１０６）。そして、光伝送装置１０００は、出力レベルの制御を終了する。
【００３３】
以上、光伝送装置１０００の動作について説明した。
【００３４】
以上の通り、本発明の第１の実施の形態における光伝送装置１０００は、出力光用ＷＳＳ３１（出力光用波長選択部）と、近接光用ＷＳＳ３３（近接光用波長選択部）と、モニタ回路７０と、制御回路９０とを備えている。
【００３５】
出力光用ＷＳＳ３１は、広帯域光源１０により入力される広帯域光λから所定の波長λ１の光信号λ１を選択して、選択した光信号λ１に対して所定の第１の減衰量で減衰した光信号を出力光λ１として出力する。
【００３６】
近接光用ＷＳＳ３３は、広帯域光源１０により入力される広帯域光λから前記所定の波長λ１に対して所定の波長帯域内の光信号λ１’を選択して、選択した光信号λ１’に対して所定の第２の減衰量で減衰した光信号を近接光λ１’として出力する。
【００３７】
モニタ回路７０は、近接光用ＷＳＳ３３により出力される近接光λ１’の光レベルを計測し、近接光λ１’の出力レベルの計測値をモニタ情報７１として生成する。
【００３８】
制御回路９０は、モニタ回路７０により生成されたモニタ情報７１と、出力光λ１の期待出力レベル値として予め設定された情報である出力設定情報９１とを比較し、比較結果に基づいて出力光λ１の光レベルを調整する。
【００３９】
このように、光伝送装置１０００では、出力光λ１ではなく、出力光λ１の近接光λ１’をモニタすることにより、出力光λ１の光出力レベルの制御を行う。より具体的には、出力ポート５０−１より出力される出力光λ１の光出力レベルを制御する時に、出力ポート５０−２より出力される近接光λ１’のモニタ回路７０により得られるモニタ情報７１を用いて、１×２ＷＳＳ３０の出力ポート５０−１より出力される出力光λ１の出力レベルの制御を実施している。
【００４０】
モニタ回路７０は、出力光用ＷＳＳ３１より出力される出力光λ１を用いず、近接光用ＷＳＳ３３により出力される近接光λ１’を用いて、近接光λ１’の出力レベルの計測値をモニタ情報７１として生成する。そして、制御回路９０は、モニタ回路７０により生成されたモニタ情報７１と、出力光λ１の期待出力レベル値として予め設定された情報である出力設定情報９１とを比較し、比較結果に基づいて出力光λ１の光レベルを調整する。すなわち、光伝送装置１０００では、モニタ回路７０は、出力光λ１を用いることなく、モニタ情報７１を制御回路９０に提供することができる。制御対象の出力光λ１の出力先にモニタ回路を挿入せず、制御対象の出力光λ１の近接光λ１’の出力先にモニタ回路を装入して、近接光λ１’をモニタし、間接的に出力光λの光出力の制御を実施するようにした。これにより、モニタ回路を挿入することによって出力光に光損失が生じることを抑止できる。この結果、出力光λ１の最大光出力レベルが低下することを抑止できる。したがって、光伝送装置１０００によれば、モニタ回路を設けても、出力光に生じる光損失を低減することができる。
【００４１】
また、光伝送装置１０００では、近接光λ１’をモニタに使用する。このため、光伝送装置１０００では、一般的に用いられる分岐カプラまたはタップ付きフォトディテクタを使用したモニタ対象光の一部を取り出してモニタする構成と異なり、全ての光をモニタすることで、モニタ精度を向上することができる。したがって、光伝送装置１０００によれば、光モニタ精度を向上することができる。
【００４２】
また、本発明の第１の実施の形態における光伝送装置１０００において、制御回路９０は、モニタ情報７１と出力設定情報９１とが一致しない場合、近接光用ＷＳＳ３３に対して第２の減衰量を変更させて、近接光λ１’の光レベルを変更する。一方、制御回路９０は、モニタ情報７１と出力設定情報９１とが一致する場合、第２の減衰量を第１の減衰量に設定する。
【００４３】
このように、制御回路９０は、モニタ情報７１と出力設定情報９１とが一致するまで繰り返し、モニタ情報７１と出力設定情報９１の比較を行う。このとき、モニタ情報７１は、出力光λ１を用いることなく、近接光λ１’を用いて生成されている。これにより、モニタ回路を挿入することによって出力光に光損失が生じることを抑止できる。この結果、出力光λ１の最大光出力レベルが低下することを抑止できる。また、制御回路９０は、モニタ情報７１と出力設定情報９１とが一致する場合、第２の減衰量を第１の減衰量に設定する。これにより、制御回路９０は、簡単に、モニタ回路７０で得られたモニタ情報７１を用いて、出力光λ１を制御することができる。
＜第２の実施の形態＞
図３は、本発明の第２の実施の形態にかかる光伝送装置１０００Ａの構成を示す図である。なお、図３では、図１で示した各構成要素と同等の構成要素には、図１に示した符号と同等の符号を付している。
【００４４】
図３に示されるように、光伝送装置１０００Ａは、広帯域光源１０と、波長選択スイッチ（１×８ＷＳＳ）３０Ａと、出力ポート５１−１、５１−２、・・・、５１−８と、モニタ回路７０Ａと、制御回路９０Ａとを備えている。
【００４５】
図３に示されるように、１×８ＷＳＳ３０Ａは、広帯域光源１０と、出力ポート５１−１、５１―２、・・・・５１−８と、制御回路９０Ａとに接続されている。１×８ＷＳＳ３０Ａは、複数（図３では７個で例示している。）の出力光用ＷＳＳ３１ａ、３１ｂ、・・・３１ｇと、１個の近接光用ＷＳＳ３３とを備えている。
【００４６】
出力光用ＷＳＳ３１ａは、広帯域光源１０により入力される広帯域光λから所定の波長λ１の光信号λ１を選択する。そして、出力光用ＷＳＳ３１ａは、選択した光信号λ１に対して所定の第１の減衰量で減衰した光信号を出力光λ１として出力する。なお、出力光用ＷＳＳ３１ａは、本発明の出力光用波長選択部に対応する。
【００４７】
また、出力光用ＷＳＳ３１ｂは、広帯域光源１０により入力される広帯域光λから所定の波長λ２の光信号λ２を選択する。そして、出力光用ＷＳＳ３１ｂは、選択した光信号λ２に対して所定の第１の減衰量で減衰した光信号を出力光λ２として出力する。なお、出力光用ＷＳＳ３１ｂは、本発明の出力光用波長選択部に対応する。
【００４８】
同様に、出力光用ＷＳＳ３１ｃ〜ｇは、広帯域光源１０により入力される広帯域光λから所定の波長の光信号λ３〜λ７をおのおの選択する。そして、出力光用ＷＳＳ３１ｃ〜ｇは、選択した光信号λ３〜λ７に対して所定の第１の減衰量で減衰した光信号を出力光λ３〜λ７として出力する。なお、出力光用ＷＳＳ３１ｃ〜ｇは、本発明の出力光用波長選択部に対応する。
【００４９】
図１に示されるように、出力光用ＷＳＳ３１ａ〜ｇの各々は、減衰量設定３２−１と、出力光選択設定３２−２とを備えている。減衰量設定３２−１および出力光選択設定３２−２は、１×８ＷＳＳ３０Ａの出力ポート毎に設定される。
【００５０】
各出力光用ＷＳＳ３１ａ〜ｇは、減衰量設定３２−１および出力光選択設定３２−２の設定情報に従って、広帯域光源１０により入力される広帯域光λから所定の波長の光信号λ１〜λ７のいずれかを選択する。減衰量設定３２−１は、広帯域光λから選択された光信号λ１〜λ７の各々に対して減衰させる第１の減衰量を設定する。出力光選択設定３２−２は、広帯域光λから選択する光信号を設定する。なお、ここでは、出力光選択設定３２−２は、広帯域光λから光信号λ１〜λ７のいずれかの光波長帯域を選択するように設定する。
【００５１】
光信号λ１は、出力ポート５１−１から出力される。光信号λ２は、出力ポート５１−２から出力される。光信号λ３は、出力ポート５１−３から出力される。光信号λ４は、出力ポート５１−４から出力される。光信号λ５は、出力ポート５１−５から出力される。光信号λ６は、出力ポート５１−６から出力される。光信号λ７は、出力ポート５１−７から出力される。光信号λ１〜λ７は、広帯域光λから、１×８ＷＳＳ３０Ａにより、波長選択出力された光である。
【００５２】
近接光用ＷＳＳ３３は、制御回路９０Ａの指示にしたがって、広帯域光源１０により入力される広帯域光λから、複数の所定の波長（λ１、λ２、・・・・λ７）のうちいずれか１つの波長に対して所定の波長帯域（例えば、○○○Ｈｚ内）内の光信号（λ１’、λ２’、・・・λ７’のいずれか）を選択する。そして、近接光用ＷＳＳ３３は、選択した光信号（λ１’、λ２’、・・・λ７’のいずれか）に対して所定の第２の減衰量で減衰した光信号を近接光として出力する。なお、近接光用ＷＳＳ３３は、近接光用波長選択部に対応する。
【００５３】
図３に示されるように、近接光用ＷＳＳ３３は、減衰量設定３４−１と、出力光選択設定３４−２とを備えている。減衰量設定３４−１および出力光選択設定３４−２は、１×８ＷＳＳ３０Ａの出力ポート毎に設定される。
【００５４】
近接光用ＷＳＳ３３Ａは、減衰量設定３４−１および出力光選択設定３４−２の設定情報に従って、広帯域光源１０により入力される広帯域光λから光信号（λ１’、λ２’、・・・λ７’のいずれか）を選択する。減衰量設定３４−１は、広帯域光λから選択された光信号（λ１’、λ２’、・・・λ７’のいずれか）に対して減衰させる第２の減衰量を設定する。出力光選択設定３４−２は、広帯域光λから選択する光信号を設定する。光信号λ１’〜λ７’の各々は、広帯域光λから、１×８ＷＳＳ３０Ａにより、波長選択出力された出力光λ１〜λ７の各々にそれぞれ近接した同帯域幅の光である。
【００５５】
図３に示されるように、出力ポート５１−１〜５１−８は、１×８ＷＳＳ３０Ａに接続されている。出力ポート５１−１は、出力光用ＷＳＳ３１ａにより出力される出力光λ１を受けとり、これを光伝送装置１０００Ａの外部へ出力する。また、出力ポート５１−１は、出力光用ＷＳＳ３１ｂにより出力される出力光λ２を受けとり、これを光伝送装置１０００Ａの外部へ出力する。同様に、出力ポート５１−３〜５１−７の各々は、出力光用ＷＳＳ３１ｃ〜ｇの各々により出力される出力光λ３〜λ７をそれぞれ受けとり、これを光伝送装置１０００Ａの外部へ出力する。
【００５６】
図３に示されるように、出力ポート５１−８は、１×８ＷＳＳ３０Ａおよびモニタ回路７０Ａに接続されている。出力ポート５１−８は、近接光用ＷＳＳ３３により出力される近接光（λ１’、λ２’、・・・λ７’のいずれか）を受けとり、これをモニタ回路７０Ａへ出力する。
【００５７】
図３に示されるように、モニタ回路７０Ａは、１×８ＷＳＳ３０Ａおよび制御回路９０Ａに接続されている。モニタ回路７０Ａは、近接光用ＷＳＳ３３により出力される近接光（λ１’、λ２’、・・・λ７’のいずれか）の出力レベルを計測し、近接光（λ１’、λ２’、・・・λ７’のいずれか）の光レベルの計測値をモニタ情報７１Ａとして生成する。モニタ回路７０Ａは、モニタ情報７１Ａを保存し、当該モニタ情報７１Ａを制御回路９０Ａへ送信する。モニタ情報７１Ａは、近接光用ＷＳＳ３３から出力ポート５１−８を介して入力された近接光（λ１’、λ２’、・・・λ７’のいずれか）をモニタ回路７０Ａにより計測した光レベルのモニタ値である。
【００５８】
図３に示されるように、制御回路９０Ａは、１×８ＷＳＳ３０Ａおよびモニタ回路７０Ａに接続されている。制御回路９０Ａは、モニタ回路７０Ａにより生成されたモニタ情報７１Ａを、モニタ回路７０Ａから受信する。
【００５９】
制御回路９０Ａは、出力設定情報９１−１〜７と、出力光管理情報９２を有する。
【００６０】
出力設定情報９１−１とは、出力光λ１の期待出力レベル値として予め設定された情報である。また、出力設定情報９１−２とは、出力光λ２の期待出力レベル値として予め設定された情報である。同様に、出力設定情報９１−３〜７の各々は、出力光λ３〜λ７の各々の期待出力レベル値として予め設定された情報である。出力設定情報９１−１〜７は、制御回路９０Ａに予め記憶されている。
【００６１】
出力光管理情報９２は、各出力光λ１、λ２、・・・・λ７に対応する近接光λ１’、λ２’、・・・λ７’の光波長帯域設定情報を含んでいる。すなわち、出力光管理情報９２には、複数の所定の波長λ１、λ２、・・・λ７と、複数の所定の波長λ１、λ２、・・・λ７の各々に対して設定された所定の波長帯域内の波長λ１’、λ２’、・・・λ７’を互いに対応付けた情報が、光波長帯域設定情報として含まれる。
【００６２】
また、制御回路９０Ａは、モニタ情報７１Ａと出力設定情報９１−１〜７のいずれか（近接光用ＷＳＳ３３により選択されている近接光に対応）との比較結果に基づいて、出力光λ１〜λ７のいずれかの光レベルを調整する。具体的な機能については、後述の動作説明内で詳しく説明する。
【００６３】
以上、光伝送装置１０００Ａの構成について説明した。
【００６４】
次に、光伝送装置１０００Ａの動作について説明する。
【００６５】
図４は、光伝送装置１０００Ａの動作を説明する動作フロー図である。ここでは、出力ポート５１−２の出力光λ２の出力レベルの制御動作を説明する。
【００６６】
光伝送装置１０００Ａは、出力レベルの制御を開始すると、まず、制御回路９０が出力光λ２の期待出力レベルを設定する（Ｓ２０１）。
【００６７】
制御回路９０Ａは、出力光λ２の期待出力レベルの設定情報を、出力設定情報９１−２として保存する（Ｓ２０２）。
【００６８】
次に、制御回路９０Ａは、出力光管理情報９２を参照して、１×８ＷＳＳ３０Ａの近接光ＷＳＳ３３の出力光選択設定３４−２に近接光λ２’を選択させる（Ｓ２０３）。これにより、出力ポート５１−８は、出力ポート５１−２の出力光λ２の近接光λ２’を出力する。
【００６９】
次に、モニタ回路７０Ａは、近接光λ２’の光レベル（出力レベル）を計測し、この計測値をモニタ情報７１Ａとして保存する（Ｓ２０４）。
【００７０】
次に、制御回路９０Ａは、モニタ回路７０Ａにより生成されたモニタ情報７１Ａと、出力設定情報９１Ａとを比較する（Ｓ２０５）。
【００７１】
モニタ情報７１Ａと出力設定情報９１Ａとが一致しないと制御回路９０Ａにより判断された場合（Ｓ２０５、不一致）、制御回路９０Ａは、１×８ＷＳＳ３０Ａの近接光用ＷＳＳ３３の減衰量設定３４−１に設定された第２の減衰量を変更し、近接光λ２’の光レベル（出力レベル）を変更する（Ｓ２０６）。Ｓ２０４、Ｓ２０５およびＳ２０６の処理は、モニタ情報７１Ａと出力設定情報９１Ａが一致するまで繰り返される。
【００７２】
一方、モニタ情報７１Ａと出力設定情報９１Ａとが一致すると制御回路９０Ａにより判断された場合（Ｓ２０５、一致）、制御回路９０Ａは、１×８ＷＳＳ３０Ａの出力光用ＷＳＳ３１ｂの減衰量設定部３２−１に、近接光用ＷＳＳ３３の減衰量設定３４−１で設定されている第２の減衰量を設定する（Ｓ２０７）。これにより、出力光用ＷＳＳ３１ｂの減衰量設定部３２−１に設定されている第１の減衰量は、近接光用ＷＳＳ３３の減衰量設定３４−１で設定されている第２の減衰量と同じになる。そして、光伝送装置１０００Ａは、出力レベルの制御を終了する。
【００７３】
以上、光伝送装置１０００Ａの動作について説明した。
【００７４】
以上の通り、本発明の第１の実施の形態における光伝送装置１０００は、複数の出力光用ＷＳＳ３１（出力光用波長選択部）と、近接光用ＷＳＳ３３（近接光用波長選択部）と、モニタ回路７０Ａと、制御回路９０Ａとを備えている。
【００７５】
複数の出力光用ＷＳＳ３１は、広帯域光源１０により入力される広帯域光λから複数の所定の波長の光信号λ１、λ２、・・・・λ７をそれぞれ選択して、選択した複数の光信号λ１、λ２、・・・・λ７の各々に対して所定の第１の減衰量で減衰した光信号を出力光λ１、λ２、・・・λ７として出力する。
【００７６】
近接光用ＷＳＳ３３は、広帯域光源１０により入力される広帯域光λから複数の所定の波長λ１、λ２、・・・・λ７のうちいずれか１つの波長に対して所定の波長帯域内の光信号（λ１’、λ２’、・・・λ７’のいずれか）を選択して、選択した光信号（λ１’、λ２’、・・・λ７’のいずれか）に対して所定の第２の減衰量で減衰した光信号を近接光（λ１’、λ２’、・・・λ７’のいずれか）として出力する。
【００７７】
モニタ回路７０Ａは、近接光用ＷＳＳ３３により出力される近接光（λ１’、λ２’、・・・λ７’のいずれか）の光レベルを計測し、近接光（λ１’、λ２’、・・・λ７’のいずれか）の出力レベルの計測値をモニタ情報７１Ａとして生成する。
【００７８】
制御回路９０Ａは、モニタ回路７０Ａにより生成されたモニタ情報７１Ａと、出力光（λ１、λ２、・・・λ７のいずれか）の期待出力レベル値として予め設定された情報である出力設定情報９１Ａとを比較し、比較結果に基づいて出力光（λ１、λ２、・・・λ７のいずれか）の光レベルを調整する。
【００７９】
そして、制御回路９０Ａは、複数の所定の波長λ１、λ２、・・・・λ７と、複数の所定の波長λ１、λ２、・・・・λ７の各々に対して設定された所定の波長帯域の波長λ１’、λ２’、・・・λ７’を互いに対応付けた出力光管理情報９２を保有する。制御回路９０Ａは、出力管理情報９２を参照することにより、近接光用ＷＳＳ３３に対して、広帯域光源１０により入力される広帯域光λから、複数の所定の波長λ１、λ２、・・・・λ７の各々に対して設定された所定の波長帯域の波長λ１’、λ２’、・・・λ７’のうち、いずれか１つの波長を選択させる。
【００８０】
このように、モニタ回路７０Ａを共用することにより、モニタ回路を出力光用ＷＳＳ３１ａ〜ｇ毎に設ける必要性を無くすことができ、モニタ回路の数を低減することができる。
【００８１】
なお、特許文献２に記載の技術と、本発明の光伝送装置１０００との差異は、以下の通りである。
【００８２】
すなわち、本発明の光伝送装置１０００では、出力光λ１を光源等として使用するため、期待出力レベルの光を出力させるための機能を有している。これに対して、特許文献２に記載の技術では、伝送路上の既存光(隣接光)のレベルに近づけることを目的とした処理のみとなっており、機能・処理が異なる。
【００８３】
また、本発明の「発明が解決しようとする課題」は、モニタ回路を設けても、出力光に生じる光損失を低減することができる技術を提供するである。これに対して、特許文献２に記載の技術では、伝送路側のパスにおいて、波長可変LDおよび光増幅器の後段に、光スイッチ等の光損失を生じさせるデバイスが存在している。光スイッチ等による光損失を補うため、光増幅器のゲイン等を上げる場合、光増幅器の回路・消費電力が増大することになる。したがって、本発明と特許文献２に記載の技術は、解決課題において全く相違する。
【００８４】
特許文献２に記載の技術では、出力レベルを制御する時、光スイッチを切り替え、波長可変フィルタ回路側のモニタ回路を使用する必要があるため、伝送路側への光出力が停止するという問題が生じる。これに対して、本発明の光伝送装置１０００では、出力レベルを制御する時、光出力が停止することは無い。
【００８５】
特許文献２に記載の技術では、波長可変半導体レーザ（波長可変ＬＤ）、光増幅器、光スイッチおよび光合波器という構成となっているため、本発明の第２の実施の形態の様な、複数の光出力機能を実現する場合、光出力毎に同様の回路が必要となり、回路が増大するという問題がある。
【００８６】
特許文献２に記載の技術では、出力光モニタ回路までのパスに、光スイッチ、光減衰器、光合流器および波長可変フィルタ等の多くのデバイスを経由する。このため、デバイス毎に光損失や製造バラつきによる差が生じることとなり、出力レベルをモニタすることを目的とした回路としては、あまり適していない。
【００８７】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【符号の説明】
【００８８】
１０    広帯域光源
３０    １×２ＷＳＳ
３０Ａ    １×８ＷＳＳ
３１、３１ａ〜ｇ    出力光用ＷＳＳ
３２−１    減衰量設定
３２−２    出力光選択設定
３３    近接光用ＷＳＳ
３４−１    減衰量設定
３４−２    出力光選択設定
５０−１、５０−２    出力ポート
７０、７０Ａ    モニタ回路
７１、７１Ａ    モニタ情報
９０、９０Ａ    制御回路
９１    出力設定情報
９２    出力光管理情報
１０００、１０００Ａ    光伝送装置
【図１】
0006423213.tif 000002
【図２】
0006423213.tif 000003
【図３】
0006423213.tif 000004
【図４】
0006423213.tif 000005